(57)【要約】【課題】冗長切り替え等、通信信号の送信に影響するイベントの発生に対して、局側装置および宅側装置間の通信停止時間を短縮し、信頼性の高い通信システムを提供することが可能な局側装置、通信システムおよび通信制御方法を提供する。【解決手段】局側装置２０１は、１または複数の宅側装置２０２と通信する。局側装置２０１は、局側装置２０１から宅側装置２０２への通信信号の送信に影響するイベントを検知し、イベントのための処理を実行するためのイベント制御部３６と、通信信号の異常検出を停止させる指示を示す停止制御情報を、イベント制御部３６によって検知されたイベントが発生する前に各宅側装置２０２へ送信するための異常検出制御部３６とを備える。【選択図】図１
2012142698.tif 000002
【特許請求の範囲】
【請求項１】
１または複数の宅側装置と通信するための局側装置であって、
前記局側装置から前記宅側装置への通信信号の送信に影響するイベントを検知し、前記イベントのための処理を実行するためのイベント制御部と、
前記通信信号の異常検出を停止させる指示を示す停止制御情報を、前記イベント制御部によって検知された前記イベントが発生する前に各前記宅側装置へ送信するための異常検出制御部とを備える、局側装置。
【請求項２】
前記局側装置は、前記停止制御情報に対する応答情報を前記宅側装置から受信し、
さらに、
前記イベントの終了後、前記各宅側装置のうち、前記応答情報が到着しなかった前記宅側装置との通信を再開する処理を実行するためのリンク制御部を備える、請求項１に記載の局側装置。
【請求項３】
前記局側装置は、さらに、運用系の光回線ユニットおよび待機系の光回線ユニットを備え、
前記局側装置から前記宅側装置への通信信号の送信に影響するイベントは、前記運用系の光回線ユニットから前記待機系の光回線ユニットへの切り替えを含む、請求項１または請求項２に記載の局側装置。
【請求項４】
前記停止制御情報は、前記宅側装置を前記異常検出の停止を伴う省電力モードへ遷移させる指示を示す、請求項１から請求項３のいずれか１項に記載の局側装置。
【請求項５】
前記停止制御情報は、所定の保守管理プロトコル、または拡張ＭＡＣ（Media Access Control）制御プロトコルに従う制御情報であって、前記異常検出を停止するモードへ遷移させる指示を示す、請求項１から請求項３のいずれか１項に記載の局側装置。
【請求項６】
前記停止制御情報は、前記異常検出を停止すべき停止期間を含む、請求項１から請求項５のいずれか１項に記載の局側装置。
【請求項７】
前記異常検出制御部は、さらに、前記停止期間の終了前に前記イベントが終了した場合には、前記異常検出を再開させる指示を示す再開制御情報を前記各宅側装置へ送信する、請求項６に記載の局側装置。
【請求項８】
１または複数の宅側装置と、各前記宅側装置と通信するための局側装置とを備える通信システムであって、
前記局側装置から前記宅側装置への通信信号の送信に影響するイベントを検知するためのイベント制御部と、
前記通信信号の異常検出を停止させる指示を示す停止制御情報を、前記イベント制御部によって検知された前記イベントが発生する前に前記各宅側装置へ送信するための異常検出制御部とを備え、
前記宅側装置は、前記異常検出制御部から前記停止制御情報を受信して、前記局側装置からの前記通信信号の異常検出を停止する、通信システム。
【請求項９】
１または複数の宅側装置と、各前記宅側装置と通信するための局側装置とを備える通信システムにおける通信制御方法であって、
前記局側装置から前記宅側装置への通信信号の送信に影響するイベントが検知されるステップと、
前記通信信号の異常検出を停止させる指示を示す停止制御情報が、検知した前記イベントが発生する前に前記各宅側装置へ送信されるステップと、
前記宅側装置において、前記停止制御情報が受信され、前記局側装置からの前記通信信号の異常検出が停止されるステップとを含む、通信制御方法。
【発明の詳細な説明】
【技術分野】
【０００１】
本発明は、局側装置、通信システムおよび通信制御方法に関し、特に、通信信号の送信に影響するイベントの発生に対処する局側装置、この局側装置を備えた通信システム、および通信制御方法に関する。
【背景技術】
【０００２】
近年、インターネットが広く普及しており、利用者は世界各地で運営されているサイトの様々な情報にアクセスし、その情報を入手することが可能である。これに伴って、ＡＤＳＬ（Asymmetric Digital Subscriber Line）およびＦＴＴＨ（Fiber To The Home）等のブロードバンドアクセスが可能な装置も急速に普及してきている。
【０００３】
ＩＥＥＥ  Ｓｔｄ  ８０２．３ａｈ（登録商標）−２００４（非特許文献１）には、複数の宅側装置（ＯＮＵ：Optical Network Unit）が光通信回線を共有して局側装置（ＯＬＴ：Optical Line Terminal）とのデータ伝送を行なう媒体共有形通信である受動的光ネットワーク（ＰＯＮ：Passive Optical Network）の１つの方式が開示されている。すなわち、ＰＯＮを通過するユーザ情報およびＰＯＮを管理運用するための制御情報を含め、すべての情報がイーサネット（登録商標）フレームの形式で通信されるＥＰＯＮ（Ethernet（登録商標） PON）と、ＥＰＯＮのアクセス制御プロトコル（ＭＰＣＰ（Multi-Point Control Protocol））およびＯＡＭ（Operations Administration and Maintenance）プロトコルとが規定されている。局側装置と宅側装置との間でＭＰＣＰフレームをやりとりすることによって、宅側装置の加入、離脱、および上りアクセス多重制御などが行なわれる。また、非特許文献１では、ＭＰＣＰメッセージによる、新規宅側装置の登録方法、帯域割り当て要求を示すレポート、および送信指示を示すゲートについて記載されている。
【０００４】
なお、１ギガビット／秒の通信速度を実現するＥＰＯＮであるＧＥ−ＰＯＮの次世代の技術として、ＩＥＥＥ８０２．３ａｖ（登録商標）−２００９として標準化が行なわれた１０Ｇ−ＥＰＯＮすなわち通信速度が１０ギガビット／秒相当のＥＰＯＮにおいても、アクセス制御プロトコルはＭＰＣＰが前提となっている。
【０００５】
ところで、一般的にビジネス向けのネットワークサービスでは、高品質サービスを提供するためにシステムの二重化（冗長化）が必須である。また、音声／映像配信サービスでも二重化システムを用いることにより信頼性の高いシステムを提供することができる。二重化システムでは、装置、部品およびネットワークの各々が必要に応じて運用系および待機系を有する冗長構成がとられる。運用しているシステムの一部に障害が発生した場合には、運用系から待機系への冗長切り替えを行なうことにより、障害によるシステム停止時間をできるだけ短くすることが可能となる。
【０００６】
また、障害が顕在化していなくても、特性の劣化傾向および部品の寿命等を勘案して、モジュールを予防的に交換する場合がある。システムがモジュールについて冗長構成を有していれば、このような保守作業によるシステム停止時間をできるだけ短くすることが可能となる。
【０００７】
ＰＯＮシステムにおける局側装置の冗長構成の一例として、たとえば、特開２０１０−２０６６８７号公報（特許文献１）には、以下のような局側装置が開示されている。すなわち、全体制御部が、保守交換指示を受けて切り替え時刻を設定し、この切り替え時刻において全体制御部がＰＯＮ回線制御を停止する。また、局所制御部が、この切り替え時刻においてＰＯＮ回線制御を開始する。そして、全体制御部が保守交換され、保守交換された新たな全体制御部が、局所制御部によるＰＯＮ回線制御が行なわれているとき、局所制御部によるＰＯＮ回線制御の内容を監視する。そして、新たな全体制御部が、切り替え時刻を設定し、この切り替え時刻において、局所制御部がＰＯＮ回線制御を停止し、かつ新たな全体制御部が、局所制御部に代わり、局所制御部によるＰＯＮ回線制御を監視した結果に基づいてＰＯＮ回線制御を開始する。
【先行技術文献】
【非特許文献】
【０００８】
【非特許文献１】IEEE Std 802.3ah（登録商標）-2004
【特許文献】
【０００９】
【特許文献１】特開２０１０−２０６６８７号公報
【発明の概要】
【発明が解決しようとする課題】
【００１０】
ＰＯＮシステムにおける局側装置において、たとえば、運用系から待機系への冗長切り替えを行なうと、局側装置からＯＮＵへの下り光信号に不連続が生じる。すなわち、運用系からの下り光信号と待機系からの下り光信号との時間的なずれがＯＮＵにおいて生じる。この時間的なずれを完全にゼロにすることは困難である。
【００１１】
そして、このような下り光信号の時間的なずれによって下り光信号が途絶えると、ＯＮＵは、局側装置とのリンク断を検出し、局側装置とのリンクを再確立するための処理を実行することになる。ここで、局側装置と通信するＯＮＵは、一般に数十台以上存在することから、リンク断を検出した各ＯＮＵのすべてが局側装置とのリンクを再確立するまでに長時間を要してしまう。
【００１２】
また、局側装置は、ＯＮＵがリンク断を検出すると、当該ＯＮＵへ送信する予定であった蓄積データをクリアする場合もあり、データの再送処理による遅延も生じてしまう。
【００１３】
この発明は、上述の課題を解決するためになされたもので、その目的は、冗長切り替え等、通信信号の送信に影響するイベントの発生に対して、局側装置および宅側装置間の通信停止時間を短縮し、信頼性の高い通信システムを提供することが可能な局側装置、通信システムおよび通信制御方法を提供することである。
【課題を解決するための手段】
【００１４】
上記課題を解決するために、この発明のある局面に係わる局側装置は、１または複数の宅側装置と通信するための局側装置であって、上記局側装置から上記宅側装置への通信信号の送信に影響するイベントを検知し、上記イベントのための処理を実行するためのイベント制御部と、上記通信信号の異常検出を停止させる指示を示す停止制御情報を、上記イベント制御部によって検知された上記イベントが発生する前に各上記宅側装置へ送信するための異常検出制御部とを備える。
【００１５】
このような構成により、イベント期間中に宅側装置がリンク断を検出することを防ぐことができるため、宅側装置は、ディスカバリ処理等のリンク解放処理を行なわなくなり、通常状態への復帰が早くなる。このため、通信システムにおける通信不能時間を短縮することができ、サービス品質を向上させることができる。したがって、冗長切り替え等、通信信号の送信に影響するイベントの発生に対して、局側装置および宅側装置間の通信停止時間を短縮し、信頼性の高い通信システムを提供することができる。
【００１６】
好ましくは、上記局側装置は、上記停止制御情報に対する応答情報を上記宅側装置から受信し、さらに、上記イベントの終了後、上記各宅側装置のうち、上記応答情報が到着しなかった上記宅側装置との通信を再開する処理を実行するためのリンク制御部を備える。
【００１７】
このような構成により、局側装置から停止制御情報を送信しても何らかの理由で異常検出を停止しなかった宅側装置が存在する場合に、当該宅側装置との通信を適切に再開することが可能となる。
【００１８】
好ましくは、上記局側装置は、さらに、運用系の光回線ユニットおよび待機系の光回線ユニットを備え、上記局側装置から上記宅側装置への通信信号の送信に影響するイベントは、上記運用系の光回線ユニットから上記待機系の光回線ユニットへの切り替えを含む。
【００１９】
このような構成により、宅側装置が通信信号の異常検出を停止している間に、イベントが必要となった光回線ユニットから正常な光回線ユニットへの冗長切り替えまたは交換を行なうことができる。
【００２０】
好ましくは、上記停止制御情報は、上記宅側装置を上記異常検出の停止を伴う省電力モードへ遷移させる指示を示す。
【００２１】
このような構成により、汎用的な省電力プロトコルを利用して、イベント期間中に宅側装置がリンク断を検出することを防ぐことができる。また、イベント期間中における宅側装置の不要な電力消費を抑制することができる。
【００２２】
好ましくは、上記停止制御情報は、所定の保守管理プロトコル、または拡張ＭＡＣ（Media Access Control）制御プロトコルに従う制御情報であって、上記異常検出を停止するモードへ遷移させる指示を示す。
【００２３】
このような構成により、局側装置は、宅側装置を、異常検出の停止状態へ、または異常検出の停止を伴う省電力モードへ確実に遷移させることが可能となる。
【００２４】
好ましくは、上記停止制御情報は、上記異常検出を停止すべき停止期間を含む。
【００２５】
このような構成により、異常検出の停止指示を宅側装置に通知した後、局側装置からあらためて異常検出の再開指示を宅側装置に通知することなく、宅側装置において確実に異常検出を再開することができる。
【００２６】
より好ましくは、上記異常検出制御部は、さらに、上記停止期間の終了前に上記イベントが終了した場合には、上記異常検出を再開させる指示を示す再開制御情報を上記各宅側装置へ送信する。
【００２７】
このような構成により、イベントが予定よりも早期に終了した場合に、通信システムにおける通信を早期に再開させることができるため、通信システムにおける通信不能時間をさらに短縮することができ、サービス品質を向上させることができる。
【００２８】
上記課題を解決するために、この発明のある局面に係わる通信システムは、１または複数の宅側装置と、各上記宅側装置と通信するための局側装置とを備える通信システムであって、上記局側装置から上記宅側装置への通信信号の送信に影響するイベントを検知するためのイベント制御部と、上記通信信号の異常検出を停止させる指示を示す停止制御情報を、上記イベント制御部によって検知された上記イベントが発生する前に上記各宅側装置へ送信するための異常検出制御部とを備え、上記宅側装置は、上記異常検出制御部から上記停止制御情報を受信して、上記局側装置からの上記通信信号の異常検出を停止する。
【００２９】
このような構成により、イベント期間中に宅側装置がリンク断を検出することを防ぐことができるため、宅側装置は、ディスカバリ処理等のリンク解放処理を行なわなくなり、通常状態への復帰が早くなる。このため、通信システムにおける通信不能時間を短縮することができ、サービス品質を向上させることができる。したがって、冗長切り替え等、通信信号の送信に影響するイベントの発生に対して、局側装置および宅側装置間の通信停止時間を短縮し、信頼性の高い通信システムを提供することができる。
【００３０】
上記課題を解決するために、この発明のある局面に係わる通信制御方法は、１または複数の宅側装置と、各上記宅側装置と通信するための局側装置とを備える通信システムにおける通信制御方法であって、上記局側装置から上記宅側装置への通信信号の送信に影響するイベントが検知されるステップと、上記通信信号の異常検出を停止させる指示を示す停止制御情報が、検知した上記イベントが発生する前に上記各宅側装置へ送信されるステップと、上記宅側装置において、上記停止制御情報が受信され、上記局側装置からの上記通信信号の異常検出が停止されるステップとを含む。
【００３１】
このような構成により、イベント期間中に宅側装置がリンク断を検出することを防ぐことができるため、宅側装置は、ディスカバリ処理等のリンク解放処理を行なわなくなり、通常状態への復帰が早くなる。このため、通信システムにおける通信不能時間を短縮することができ、サービス品質を向上させることができる。したがって、冗長切り替え等、通信信号の送信に影響するイベントの発生に対して、局側装置および宅側装置間の通信停止時間を短縮し、信頼性の高い通信システムを提供することができる。
【発明の効果】
【００３２】
本発明によれば、冗長切り替え等、通信信号の送信に影響するイベントの発生に対して、局側装置および宅側装置間の通信停止時間を短縮し、信頼性の高い通信システムを提供することができる。
【図面の簡単な説明】
【００３３】
【図１】本発明の実施の形態に係るＰＯＮシステムの概略構成を示すブロック図である。
【図２】本発明の実施の形態に係る局側装置におけるＯＳＵの構成を示す図である。
【図３】本発明の実施の形態に係る宅側装置の構成を示す図である。
【図４】方法（Ａ）を採用した場合の、本発明の実施の形態に係るＰＯＮシステムにおける局側装置および宅側装置間のデータの流れ、ならびに局側装置におけるイベント処理のシーケンスを示す図である。
【図５】方法（Ａ）を採用した場合の、本発明の実施の形態に係るＰＯＮシステムにおける局側装置のフレーム送信制御を示す図である。
【図６】方法（Ａ）を採用した場合の、本発明の実施の形態に係るＰＯＮシステムにおける局側装置および宅側装置間のデータの流れ、ならびに局側装置におけるイベント処理のシーケンスを示す図である。
【図７】方法（Ａ）を採用した場合の、本発明の実施の形態に係るＰＯＮシステムにおける局側装置および宅側装置間のデータの流れ、ならびに局側装置におけるイベント処理のシーケンスを示す図である。
【図８】方法（Ｂ）を採用した場合の、本発明の実施の形態に係るＰＯＮシステムにおける局側装置および宅側装置間のデータの流れ、ならびに局側装置におけるイベント処理のシーケンスを示す図である。
【図９】方法（Ｂ）を採用した場合の、本発明の実施の形態に係るＰＯＮシステムにおける局側装置および宅側装置間のデータの流れ、ならびに局側装置におけるイベント処理のシーケンスを示す図である。
【発明を実施するための形態】
【００３４】
以下、本発明の実施の形態について図面を用いて説明する。なお、図中同一または相当部分には同一符号を付してその説明は繰り返さない。
【００３５】
［構成および基本動作］
図１は、本発明の実施の形態に係るＰＯＮシステムの概略構成を示すブロック図である。
【００３６】
図１を参照して、ＰＯＮシステム３０１は、局側装置２０１と、光ファイバであるＮ本のＰＯＮ回線１〜Ｎ（２０３−１〜２０３−Ｎ）と、Ｎ個の光カプラ２０４−１〜２０４−Ｎと、複数の宅側装置（ＯＮＵ）２０２とを備える。局側装置２０１は、光回線ユニット（以下、ＯＳＵ（Optical Subscriber Unit）とも称する）１〜Ｎ＋１（１２−１〜１２−Ｎ＋１）と、集線部１３と、局側装置２０１の全体的な制御を行なう全体制御部１１とを含む。ここで、Ｎは１以上の整数である。また、宅側装置から上位ネットワーク（以下「アップリンク」とも称する。）への方向を上り方向と称し、アップリンクから宅側装置への方向を下り方向と称する。
【００３７】
ここでは、ＰＯＮシステム３０１において、各ＰＯＮ回線は１０ギガビット／秒の通信速度を実現するＥＰＯＮである１０Ｇ−ＥＰＯＮに対応しており、アップリンクは１０ギガビット／秒の通信速度を実現するイーサネット（登録商標）に対応すると仮定して説明する。また、ＭＰＣＰフレームによってＯＮＵの登録、離脱、ＯＮＵへの帯域割り当てが行なわれ、保守管理プロトコルによってＯＮＵからの帯域要求およびＯＮＵへのスリープ（動作停止）指示などが行なわれると仮定して説明する。
【００３８】
局側装置２０１は、１０Ｇ−ＥＰＯＮに対応するＰＯＮ回線を複数回線収容する。１本のＰＯＮ回線には１または複数のＯＮＵが接続される。局側装置２０１は、これらのＰＯＮ回線からのデータを１または複数の通信回線を有するアップリンクに多重する。また、局側装置２０１は、アップリンクからのデータを振り分けて各ＰＯＮ回線における各宅側装置へ送信する。また、局側装置２０１は、ＰＯＮ回線の上り帯域および下り帯域を各宅側装置に割り当てる。たとえば、各宅側装置から局側装置２０１への上り光信号はバースト信号であり、局側装置２０１から各宅側装置への下り光信号は連続的な信号である。
【００３９】
具体的には、局側装置２０１は、Ｎ本のＰＯＮ回線１〜Ｎに接続され、このＮ本のＰＯＮ回線を終端する。各ＯＳＵは、ＰＯＮ回線に対応して設けられ、対応のＰＯＮ回線に接続された１または複数のＯＮＵとフレームを送受信する。ＰＯＮ回線１〜Ｎは、光カプラ２０４−１〜２０４−Ｎにそれぞれ接続されており、これらの光カプラを介して各ＯＮＵ２０２に接続されている。
【００４０】
局側装置２０１は、たとえば、Ｎ：１の冗長構成を有している。すなわち、Ｎ＋１個のＯＳＵのうち、ＯＳＵ１〜Ｎが運用系（現用）ＯＳＵであり、ＯＳＵ  Ｎ＋１が待機系（予備）ＯＳＵである。なお、局側装置１ａは、２個以上の待機系ＯＳＵを含む構成であってもよい。
【００４１】
光スイッチ１４は、全体制御部１１からの指示に従い、Ｎ＋１個のＯＳＵ１〜Ｎ＋１（１２−１〜１２−Ｎ＋１）と、Ｎ本のＰＯＮ回線１〜Ｎ（３−１〜３−Ｎ）との間の通信経路を切り替える。
【００４２】
集線部１３は、複数のＯＳＵ経由で各ＯＮＵから受信した上りフレームをアップリンクへ送信する。具体的には、集線部１３は、ＯＳＵ１〜Ｎ（１２−１〜１２−Ｎ＋１）からの上りフレームを多重してアップリンクに送信するとともに、アップリンクから受信した下りフレームを適切なＯＳＵに振り分ける処理を行なう。
【００４３】
図２は、本発明の実施の形態に係る局側装置におけるＯＳＵの構成を示す図である。
【００４４】
図２を参照して、ＯＳＵ１２は、集線ＩＦ（Interface）部３１と、制御ＩＦ部３２と、受信処理部３３と、送信処理部３４と、ＰＯＮ送受信部３５と、ＰＯＮ制御部（イベント制御部、異常検出制御部、リンク制御部）３６と、上りフレームを蓄積するＦＩＦＯ３７と、下りフレームを蓄積するＦＩＦＯ３８とを含む。
【００４５】
ＰＯＮ送受信部３５は、ＰＯＮ線路の親局側起点として、ＰＯＮ回線である１本の光ファイバと光スイッチ１４を介して接続される。ＰＯＮ送受信部３５は、この光ファイバを介して各ＯＮＵと双方向通信が行なえるように、特定の波長、たとえば１３１０ｎｍ帯の上り光信号を受信し、電気信号に変換して受信処理部３３に出力するとともに、送信処理部３４から受けた電気信号を別波長の下り光信号に変換して送信する。たとえば、ＰＯＮ送受信部３５は、送信処理部３４から受けた１０Ｇｂｐｓの電気信号を１５７０ｎｍ帯の下り光信号に変換して送信する。
【００４６】
受信処理部３３は、ＰＯＮ送受信部３５から受けた電気信号からフレームを再構成するとともに、フレームの種別に応じてＰＯＮ制御部３６またはＦＩＦＯ３７にフレームを振り分ける。具体的には、データフレームをＦＩＦＯ３７に出力し、制御フレームをＰＯＮ制御部３６に出力する。
【００４７】
また、受信処理部３３は、どのロジカルリンクからフレームをいつ受信するかを示すグラント情報を送信処理部３４から受けて、バースト受信を支援するための制御信号をＰＯＮ送受信部３５へ出力してもよい。また、受信処理部３３は、このグラント情報を受けて、当該グラント情報に示されていない受信フレームをフィルタリングする、すなわち廃棄するようにしてもよい。また、受信処理部３３は、ＭＰＣＰフレームに対して、受信時のタイムスタンプを上書きして出力するようにしてもよい。
【００４８】
集線ＩＦ部３１は、ＦＩＦＯ３７に蓄積された上りフレームを集線部１３へ出力する。また、集線ＩＦ部３１は、集線部１３からフレームを受けると、当該フレームが通常のデータフレームである場合にはＦＩＦＯ３８に出力し、当該フレームが制御フレームである場合にはＰＯＮ制御部３６へ出力する。
【００４９】
集線ＩＦ部３１は、ＰＯＮ制御部３６から制御フレームを受けた場合には、ＦＩＦＯ３７からのフレーム列の合間において、当該制御フレームをＦＩＦＯ３７からのフレームよりも優先して集線部１３へ出力する。
【００５０】
送信処理部３４は、ＦＩＦＯ３８またはＰＯＮ制御部３６が送信すべきフレームを有する場合、優先順位に従ってそのフレームを受け取り、ＰＯＮ送受信部３５に出力する。このとき、送信処理部３４は、ＭＰＣＰフレームに対して、送信時のタイムスタンプを上書きして出力するようにしてもよい。
【００５１】
ＰＯＮ制御部３６は、ＭＰＣＰおよびＯＡＭなど、ＰＯＮ回線の制御および管理に関する局側処理を行なう。すなわち、ＰＯＮ回線に接続されている各ＯＮＵとＭＰＣＰメッセージおよびＯＡＭメッセージをやりとりすることによって、ＯＮＵの登録、離脱および帯域割り当てを含めた上りアクセス制御、帯域割り当てを含めた下りアクセス制御、ならびにＯＮＵへのスリープ指示を含めたＯＮＵの運用管理などを行なう。
【００５２】
制御ＩＦ部３２は、全体制御部１１からの指示に基づいて、集線ＩＦ部３１、受信処理部３３、送信処理部３４、およびＰＯＮ制御部３６への設定を行ない、これら各ユニットの状態を全体制御部１１に通知する。また、これら各ユニットに異常が発生した場合は、全体制御部１１からの指示に依らず、異常が発生したユニットの状態を全体制御部１１に通知する。ＰＯＮ送受信部３５への設定および状態通知は、受信処理部３３を経由して行なわれる。
【００５３】
図３は、本発明の実施の形態に係る宅側装置の構成を示す図である。
【００５４】
図３を参照して、宅側装置２０２は、ＰＯＮポート２１と、光受信処理部２２と、バッファメモリ２３と、送信処理部２４と、ＵＮＩ（User Network Interface）ポート２５と、受信処理部２６と、バッファメモリ２７と、光送信処理部２８と、制御部２９とを備える。
【００５５】
光受信処理部２２は、局側装置２０１から送信される下り光信号をＰＯＮポート２１経由で受信して電気信号に変換し、当該電気信号からフレームを再構成するとともに、フレームの種別に応じてバッファメモリ２３経由で制御部２９または送信処理部２４にフレームを振り分ける。具体的には、光受信処理部２２は、データフレームを送信処理部２４に出力し、制御フレームを制御部２９に出力する。
【００５６】
送信処理部２４は、光受信処理部２２から受けたデータフレームをＵＮＩポート２５経由で図示しないパーソナルコンピュータ等のユーザ端末へ送信する。
【００５７】
受信処理部２６は、ＵＮＩポート２５経由でユーザ端末から受信したデータフレームをバッファメモリ２７経由で光送信処理部２８へ出力する。
【００５８】
制御部２９は、ＭＰＣＰおよびＯＡＭ等、ＰＯＮ回線の制御および管理に関する宅側処理を行なう。すなわち、ＰＯＮ回線に接続されている局側装置２０１とＭＰＣＰメッセージおよびＯＡＭメッセージをやりとりすることによって、アクセス制御等の各種制御を行なう。制御部２９は、各種制御情報を含む制御フレームを生成し、バッファメモリ２７経由で光送信処理部２８へ出力する。
【００５９】
光送信処理部２８は、受信処理部２６から受けたデータフレームおよび制御部２９から受けた制御フレームを光信号に変換し、ＰＯＮポート２１経由で局側装置２０１へ送信する。
【００６０】
［動作］
ＯＳＵにおけるＰＯＮ制御部３６は、イベントを検知し、当該イベントのための処理を実行する。このイベントは、局側装置２０１からＯＮＵへの通信信号の送信に影響する予定されたイベントである。なお、ＰＯＮ制御部３６は、全体制御部１１からの通知によって当該イベントを検知する構成であってもよい。
【００６１】
このイベントは、具体的には、自己の局側装置を対象とする、ソフトウェアのアップデート、部品交換、ならびにトランシーバおよびレシーバ等のハードウェアの設定変更またはリセットである。また、自己の局側装置から他の局側装置への冗長切り替えまたは交換の際の、光スイッチの切り替えおよび光ファイバの接続変更である。また、自己の局側装置における運用系ＯＳＵから待機系ＯＳＵへの冗長切り替えまたは交換の際の、光スイッチの切り替えおよび光ファイバの接続変更である。局側装置２０１は、たとえば、これらのイベントの開始予定タイミングを含む実施予定期間の情報を取得することが可能である。
【００６２】
ここで、ＰＯＮシステムでは、上記のようなイベントが実行されると、局側装置からＯＮＵへの下り光信号に不連続が生じる。すなわち、運用系からの下り光信号と待機系からの下り光信号との時間的なずれがＯＮＵにおいて生じる。
【００６３】
そして、このような下り光信号の時間的なずれによって下り光信号が途絶えると、ＯＮＵは、局側装置とのリンク断を検出する。そして、ＯＮＵは、リンク断を検出すると、再リンクアップすなわち局側装置とのリンクを再確立するための処理を行なう。そして、ＰＯＮシステムでは、当該ＯＮＵの認証が成功するまで当該ＯＮＵおよび局側装置間で通信を行なうことができないことから、通信品質が悪化する。
【００６４】
このような問題を回避する簡易な方法としては、ＯＮＵが下り光信号に基づいてリンク断検出を行なう条件を、ある程度甘くすることが考えられる。しかしながら、このような方法では、ＯＮＵにおいてリンク断を検出するタイミングが遅れてしまう場合があり、また、リンク断の未検出が生じてしまう場合がある。
【００６５】
ここで、運用系ＯＳＵから待機系ＯＳＵへの冗長切り替えまたは交換を行なう際には、切り替え元のＯＳＵの設定を、切り替え先のＯＳＵが引き継いで動作しなければならない。このＯＳＵの冗長切り替えに伴う設定引継ぎ方法としては、ＯＳＵ間通信を行なう方法がある。より詳細には、ＯＳＵ同士が直接通信を行い、各種情報を共有する。なお、ＯＳＵは、すべての情報を通信によって他のＯＳＵに渡してもよいし、ＯＳＵ間で共用のメモリを用いてもよい。あるいは、特許文献１に記載されているように、各ＯＳＵを全体的に管理する構成であってもよい。
【００６６】
本発明の実施の形態に係るＰＯＮシステムでは、局側装置２０１におけるＰＯＮ制御部３６は、各ＯＮＵに対して通信信号である下り光信号の異常検出、たとえばリンク断検出を停止させる指示を示す停止制御情報を、検知したイベントが発生する前に各ＯＮＵへ送信する。たとえば、この停止制御情報は、異常検出を停止すべき停止期間を含む。
【００６７】
具体的には、ＰＯＮ制御部３６は、上記のようなイベントを開始してから完了するまでの間、ＯＮＵをたとえばスリープさせる。これにより、イベント期間中のＯＮＵにおけるリンク断を防ぐことが可能となる。
【００６８】
ここで、ＯＮＵをスリープ状態に遷移させる方法としては、以下の方法（Ａ）および方法（Ｂ）が考えられる。すなわち、（Ａ）ＩＥＥＥ１９０４．１（ＳＩＥＰＯＮ）で標準化中の省電力プロトコルを用いる方法、（Ｂ）拡張ＯＡＭ等の所定の保守管理プロトコルを用いる方法が考えられる。
【００６９】
方法（Ａ）では、停止制御情報は、ＯＮＵを異常検出の停止を伴う省電力モードへ遷移させる指示を示すスリープ指示である。
【００７０】
この方法（Ａ）では、標準規格に従うプロトコルを利用するため、汎用性が高い。その一方で、ＯＮＵが、たとえば上りトラヒックを検出すると、局側装置からのスリープ指示に対してＮＡＣＫを返す可能性がある。このため、確実にＯＮＵをスリープさせることができない可能性がある。但し、本出願時では、ＩＥＥＥ１９０４．１（ＳＩＥＰＯＮ）の標準化は完了していないため、確実にＯＮＵをスリープさせることができる可能性もある。
【００７１】
方法（Ａ）では、局側装置からＯＮＵに通知する情報としては、スリープ時間があれば十分である。すなわち、局側装置は、イベント完遂に必要なスリープ時間を設定し、ＯＮＵをスリープさせる。
【００７２】
方法（Ｂ）では、停止制御情報は、たとえば拡張ＯＡＭに従う制御情報であって、異常検出を停止するモードへ遷移させる指示を示すリンク断検出禁止指示である。
【００７３】
この方法（Ｂ）は、基本的には、ベンダー独自の定義および作り込みにより実現されるものである。このため、対象のＯＮＵを確実にスリープさせることは可能だが、このような拡張ＯＡＭが今後標準化されないとすると、汎用性に欠ける場合がある。
【００７４】
方法（Ｂ）でも、局側装置からＯＮＵに通知する情報としては、スリープ時間があれば十分である。この情報は、スリープ時間ではなく、ＯＮＵがリンク断の検出を行なわないリンク断検出禁止期間としてもよく、ＯＮＵをトランシーバおよびレシーバ等の動作停止を伴うスリープ状態に遷移させることは必須ではない。
【００７５】
次に、本発明の実施の形態に係る局側装置がイベント処理を行なう際の動作について図面を用いて説明する。本発明の実施の形態では、局側装置２０１を動作させることによって、本発明の実施の形態に係る通信制御方法が実施される。よって、本発明の実施の形態に係る通信制御方法の説明は、以下の局側装置２０１の動作説明に代える。なお、以下の説明においては、適宜図１〜図３を参照する。
【００７６】
図４は、方法（Ａ）を採用した場合の、本発明の実施の形態に係るＰＯＮシステムにおける局側装置および宅側装置間のデータの流れ、ならびに局側装置におけるイベント処理のシーケンスを示す図である。図４では、１つのＰＯＮ回線についてのシーケンス、すなわち１つのＯＳＵと複数のＯＮＵとの間の処理について説明する。また、当該ＯＳＵの配下のＯＮＵがＯＮＵ１〜３である、すなわち当該ＯＳＵに対応するＰＯＮ回線にＯＮＵ１〜３が接続されている場合について説明する。
【００７７】
図４を参照して、まず、ＯＳＵにおけるＰＯＮ制御部３６は、予定されたイベントを検知する（ステップＳ１）。
【００７８】
次に、ＰＯＮ制御部３６は、たとえば省電力プロトコルに従うスリープ指示を示す制御フレームを生成し、送信処理部３４およびＰＯＮ送受信部３５を介してＯＮＵ１〜３へ送信する（ステップＳ２）。このスリープ指示には、スリープ期間ＴＳが含まれる。
【００７９】
次に、ＯＮＵ１〜３における制御部２９は、ＰＯＮポート２１、光受信処理部２２およびバッファメモリ２３を介してＯＳＵからスリープ指示を受信する。そして、制御部２９は、受信したスリープ指示に対するスリープＡＣＫを示す制御フレームを生成し、バッファメモリ２７、光送信処理部２８およびＰＯＮポート２１を介してＯＳＵへ送信する（ステップＳ３）。
【００８０】
次に、制御部２９は、スリープ指示が示すスリープ期間ＴＳの開始時刻ｔｓｓにおいて、スリープ処理を実行し、スリープ状態へ遷移する（ステップＳ４）。
【００８１】
次に、ＯＳＵにおけるＰＯＮ制御部３６は、予定時刻ｔｅｓにおいて、イベントを開始するための処理を行なう。より詳細には、ＰＯＮ制御部３６は、たとえば、ＯＳＵにおける各ユニットの動作を停止する制御を行なう（ステップＳ５）。
【００８２】
ここで、ＰＯＮ制御部３６は、スリープ指示が示すスリープ期間ＴＳの開始時刻ｔｓｓを、予定時刻ｔｅｓより前の時刻に設定する。
【００８３】
次に、イベントが終了すると（ステップＳ６）、ＰＯＮ制御部３６は、再起動処理を実行する、すなわち、ＯＳＵにおける各ユニットの起動処理を実行する（ステップＳ７）。
【００８４】
次に、ＯＮＵ１〜３における制御部２９は、スリープ指示が示すスリープ期間ＴＳの終了時刻ｔｓｅにおいて、ウェイクアップ処理を実行し、スリープ状態から通常状態へ遷移する（ステップＳ８）。
【００８５】
ここで、ＯＳＵにおけるＰＯＮ制御部３６は、スリープ指示が示すスリープ期間ＴＳの終了時刻ｔｓｅを、この再起動処理が完了する予定時刻ｔｒｆより後の時刻に設定する。
【００８６】
図５は、方法（Ａ）を採用した場合の、本発明の実施の形態に係るＰＯＮシステムにおける局側装置のフレーム送信制御を示す図である。諸条件は図４と同様である。また、ステップＳ１１〜Ｓ１５の動作は、図４に示すシーケンスにおけるステップＳ１〜Ｓ５と同様である。
【００８７】
図５を参照して、まず、通常の省電力プロトコルでは、ＯＮＵが、上りトラヒックを検出した場合においてスリープ解除の予定時刻よりも早く起床することを可能とするために、局側装置は、ＯＮＵがスリープ中であっても、当該ＯＮＵにゲートフレームを定期的に送信する。具体的には、ＯＮＵがスリープ状態である場合において、上りトラヒックが発生する、たとえばＯＳＵへ送信すべきデータをＯＮＵがユーザ端末から受信すると（ステップＳ１６）、ＯＮＵは、スリープ状態から通常状態へ遷移する（ステップＳ１７）。
【００８８】
また、ＯＳＵは、定期的に、配下のＯＮＵに割り当てる帯域を示すゲートフレームを生成し、当該ＯＮＵへ送信している（ステップＳ１８）。
【００８９】
そうすると、ＯＮＵは、ＯＳＵから当該ゲートフレームを受信して、当該ゲートフレームの示す帯域に従い、ＯＳＵへデータフレームを送信してしまう（ステップＳ１９）。
【００９０】
これに対して、本発明の実施の形態に係るＰＯＮシステムでは、たとえば冗長切り替えを行なう際、切替元のＯＳＵにおけるＰＯＮ制御部３６は、ＯＮＵにスリープ指示を送信した後は、当該ＯＮＵへのゲートフレームの送信を停止する。具体的には、ＯＮＵがスリープ状態である場合において、ＯＳＵは、当該ＯＮＵに対してゲートフレームの生成および送信を行なわない（ステップＳ１８）。
【００９１】
このような構成により、たとえばＯＳＵの冗長切り替えまたは交換を行なう際に、ＯＮＵが予定時刻より早く起床することを防ぐことができる。すなわち、イベント期間中にＯＮＵからＯＳＵへデータフレームが送信されることを防ぐことができるため（ステップＳ１９）、イベント期間中であったためにＯＳＵにおいて処理できなかった上りデータを、ＯＮＵ側から再送する処理の発生を防ぐことができる。
【００９２】
図６は、方法（Ａ）を採用した場合の、本発明の実施の形態に係るＰＯＮシステムにおける局側装置および宅側装置間のデータの流れ、ならびに局側装置におけるイベント処理のシーケンスを示す図である。諸条件は図４と同様である。また、ステップＳ５１およびＳ５２の動作は、図４に示すシーケンスにおけるステップＳ１およびＳ２と同様である。
【００９３】
図６を参照して、たとえば、ＰＯＮシステム３０１では、スリープＡＣＫを返したＯＮＵのみサポートする。すなわち、局側装置２０１におけるＰＯＮ制御部３６は、配下の全ＯＮＵ、すなわち対応のＰＯＮ回線に接続されたすべてのＯＮＵのうち、イベントを開始すべき予定時刻ｔｅｓまでに応答情報すなわちスリープＡＣＫが到着しなかったＯＮＵが存在しても、予定時刻ｔｅｓにおいて、イベントを開始するための処理を実行する。
【００９４】
通常、ＯＮＵは、スリープ指示を受諾するとスリープＡＣＫを局側装置２０１に返し、スリープ指示の示す指定時刻ｔｓｓにおいてスリープ処理を行なう。そして、ＯＮＵは、スリープ指示の示す指定期間ＴＳにおいて、リンク断検出の停止を伴うスリープ状態となる。図６に示す処理では、スリープＡＣＫを局側装置に返さず、スリープ処理を行なわなかったＯＮＵについては、イベント開始によってリンク断が検出されることは許容する。
【００９５】
より詳細には、ＯＮＵ１およびＯＮＵ２における制御部２９は、ＯＳＵからスリープ指示を受信する。そして、制御部２９は、受信したスリープ指示に対するスリープＡＣＫを示す制御フレームを生成してＯＳＵへ送信する（ステップＳ５３）。
【００９６】
次に、ＯＮＵ１およびＯＮＵ２における制御部２９は、スリープ指示が示すスリープ期間ＴＳの開始時刻ｔｓｓにおいて、スリープ処理を実行し、スリープ状態へ遷移する（ステップＳ５５）。
【００９７】
ここで、ＯＮＵ３における制御部２９は、何らかの理由でスリープＡＣＫを示す制御フレームをＯＳＵへ送信せず、スリープ状態へ遷移しなかったとする（ステップＳ５４）。
【００９８】
次に、ＯＳＵにおけるＰＯＮ制御部３６は、ＯＮＵ１およびＯＮＵ２からスリープＡＣＫを受信する。ここで、ＰＯＮ制御部３６は、ＯＮＵ３からスリープＡＣＫを受信していない状態ではあるが、予定時刻ｔｅｓにおいて、イベントを開始するための処理を行なう。より詳細には、ＰＯＮ制御部３６は、たとえば、ＯＳＵにおける各ユニットの動作を停止する制御を行なう（ステップＳ５６）。
【００９９】
次に、イベントが終了すると（ステップＳ５７）、ＰＯＮ制御部３６は、再起動処理を実行する、すなわち、ＯＳＵにおける各ユニットの起動処理を実行する（ステップＳ５８）。
【０１００】
次に、ＯＮＵ１およびＯＮＵ２における制御部２９は、スリープ指示が示すスリープ期間ＴＳの終了時刻ｔｓｅにおいて、ウェイクアップ処理を実行し、スリープ状態から通常状態へ遷移する（ステップＳ５９）。
【０１０１】
次に、ＯＳＵにおけるＰＯＮ制御部３６は、対応のＰＯＮ回線に接続された各ＯＮＵのうち、応答情報すなわちスリープＡＣＫが到着しなかったＯＮＵ３との通信を再開するリンク再確立処理を実行する（ステップＳ６０）。
【０１０２】
以上のような処理により、配下のＯＮＵをできるだけスリープ状態へ遷移させるとともに、イベントを予定時刻において確実に開始することができる。
【０１０３】
図７は、方法（Ａ）を採用した場合の、本発明の実施の形態に係るＰＯＮシステムにおける局側装置および宅側装置間のデータの流れ、ならびに局側装置におけるイベント処理のシーケンスを示す図である。諸条件は図４と同様である。また、ステップＳ６１およびＳ６２の動作は、図４に示すシーケンスにおけるステップＳ１およびＳ２と同様である。
【０１０４】
図７を参照して、たとえば、ＰＯＮシステム３０１では、配下の全ＯＮＵをサポートする。すなわち、ＯＳＵは、配下の全ＯＮＵが応答情報すなわちスリープＡＣＫを返すまで、所定間隔でスリープ指示を送信し続ける。より詳細には、ＰＯＮ制御部３６は、停止制御情報すなわちスリープ指示を送信してから所定時間経過してもスリープＡＣＫが到着しないＯＮＵが存在する場合には、スリープ指示を各ＯＮＵへ再送信し、各ＯＮＵからスリープＡＣＫを受信した後、イベントを開始するための処理を実行する。
【０１０５】
図７に示す処理では、ＯＳＵがイベントを開始するまで、複数回スリープ処理を実行するＯＮＵが出現することは許容する。
【０１０６】
より詳細には、ＯＮＵ１およびＯＮＵ２における制御部２９は、ＯＳＵからスリープ指示を受信する。そして、制御部２９は、受信したスリープ指示に対するスリープＡＣＫを示す制御フレームを生成してＯＳＵへ送信する（ステップＳ６３）。
【０１０７】
次に、ＯＮＵ１およびＯＮＵ２における制御部２９は、スリープ指示が示すスリープ期間ＴＳの開始時刻ｔｓｓにおいて、スリープ処理を実行し、スリープ状態へ遷移する（ステップＳ６５）。
【０１０８】
ここで、ＯＮＵ３における制御部２９は、何らかの理由でスリープＡＣＫを示す制御フレームをＯＳＵへ送信せず、スリープ状態へ遷移しなかったとする（ステップＳ６４）。
【０１０９】
次に、ＯＳＵにおけるＰＯＮ制御部３６は、ＯＮＵ１およびＯＮＵ２からスリープＡＣＫを受信する。ここで、ＰＯＮ制御部３６は、ＯＮＵ３からスリープＡＣＫを受信していないことから、イベントを開始するための処理を行なわない。
【０１１０】
次に、ＯＮＵ１およびＯＮＵ２における制御部２９は、スリープ指示が示すスリープ期間ＴＳの終了時刻ｔｓｅにおいて、ウェイクアップ処理を実行し、スリープ状態から通常状態へ遷移する（ステップＳ６６）。
【０１１１】
次に、ＯＳＵにおけるＰＯＮ制御部３６は、スリープ指示を示す制御フレームを再び生成し、ＯＮＵ１〜３へ送信する。このスリープ指示には、新たなスリープ期間ＴＳが含まれる。ここで、ＰＯＮ制御部３６は、各ＯＮＵがスリープ状態から通常状態へ復帰する時刻ｔｓｅを把握しており、時刻ｔｓｅ以降にスリープ指示を再送信する（ステップＳ６７）。これにより、ＯＮＵが、スリープ状態であるために、再送信されたスリープ指示を受信できずに通常状態へ復帰し、その後、局側装置２０１においてイベントが開始されてリンク断を検出してしまうことを防ぐことができる。
【０１１２】
次に、ＯＮＵ１〜３における制御部２９は、ＯＳＵからスリープ指示を受信する。そして、制御部２９は、受信したスリープ指示に対するスリープＡＣＫを示す制御フレームを生成してＯＳＵへ送信する（ステップＳ６８）。
【０１１３】
次に、ＯＮＵ１〜３における制御部２９は、スリープ指示が示すスリープ期間ＴＳの開始時刻ｔｓｓにおいて、スリープ処理を実行し、スリープ状態へ遷移する（ステップＳ６９）。
【０１１４】
次に、ＯＳＵにおけるＰＯＮ制御部３６は、ＯＮＵ１〜ＯＮＵ３からスリープＡＣＫを受信し、時刻ｔｓｓより後に、イベントを開始するための処理を行なう（ステップＳ７０）。
【０１１５】
以上のような処理により、リンク断を検出するＯＮＵが発生することを防ぐことができる。
【０１１６】
なお、ＯＳＵは、全ＯＮＵからスリープＡＣＫを受信できていない場合でも、所定時間が経過したときには、イベントを開始する構成であってもよい。
【０１１７】
また、ＯＳＵは、特定のＯＮＵを確実にサポートする構成であってもよい。すなわち、局側装置は、特定の契約を結んだユーザのＯＮＵからスリープＡＣＫを受信するまではイベントを開始しない等、ＯＮＵ間で優先順位を設ける構成であってもよい。より詳細には、ＰＯＮ制御部３６は、停止制御情報すなわちスリープ指示を送信してから所定時間経過しても応答情報すなわちスリープＡＣＫが到着しないＯＮＵが存在する場合であって、各ＯＮＵのうち、所定のＯＮＵから応答情報が到着しているときには、イベントを開始するための処理を実行する。一方、ＰＯＮ制御部３６は、所定のＯＮＵからスリープＡＣＫが到着していないときには、スリープ指示を各ＯＮＵへ再送信する。
【０１１８】
このように、ＯＮＵ間で優先順位を設ける構成により、より柔軟な通信サービスを提供することができる。
【０１１９】
図８は、方法（Ｂ）を採用した場合の、本発明の実施の形態に係るＰＯＮシステムにおける局側装置および宅側装置間のデータの流れ、ならびに局側装置におけるイベント処理のシーケンスを示す図である。諸条件は図４と同様である。
【０１２０】
図８を参照して、まず、ＯＳＵにおけるＰＯＮ制御部３６は、予定されたイベントを検知する（ステップＳ３１）。
【０１２１】
次に、ＰＯＮ制御部３６は、たとえば拡張ＯＡＭに従うリンク断検出禁止指示を示す制御フレームを生成し、送信処理部３４およびＰＯＮ送受信部３５を介してＯＮＵ１〜３へ送信する（ステップＳ３２）。このリンク断検出禁止指示には、リンク断検出禁止期間ＴＨが含まれる。
【０１２２】
次に、ＯＮＵ１〜３における制御部２９は、ＰＯＮポート２１、光受信処理部２２およびバッファメモリ２３を介してＯＳＵからリンク断検出禁止指示を受信する。そして、制御部２９は、受信したリンク断検出禁止指示に対するＡＣＫを示す制御フレームを生成し、バッファメモリ２７、光送信処理部２８およびＰＯＮポート２１を介してＯＳＵへ送信する（ステップＳ３３）。
【０１２３】
次に、ＯＮＵ１〜３における制御部２９は、リンク断検出禁止指示が示すリンク断検出禁止期間ＴＨの開始時刻ｔｈｓにおいて、リンク断検出を停止する（ステップＳ３４）。
【０１２４】
次に、ＯＳＵにおけるＰＯＮ制御部３６は、予定時刻ｔｅｓにおいて、イベントを開始するための処理を行なう。より詳細には、ＰＯＮ制御部３６は、たとえば、ＯＳＵにおける各ユニットの動作を停止する制御を行なう（ステップＳ３５）。
【０１２５】
ここで、ＰＯＮ制御部３６は、リンク断検出禁止指示が示すリンク断検出禁止期間ＴＨの開始時刻ｔｈｓを、予定時刻ｔｅｓより前の時刻に設定する。
【０１２６】
次に、イベントが終了すると（ステップＳ３６）、ＰＯＮ制御部３６は、再起動処理を実行する、すなわち、ＯＳＵにおける各ユニットの起動処理を実行する（ステップＳ３７）。
【０１２７】
次に、ＯＮＵ１〜３における制御部２９は、リンク断検出禁止指示が示すリンク断検出禁止期間ＴＨの終了時刻ｔｈｅにおいて、リンク断検出を再開する（ステップＳ３８）。
【０１２８】
ここで、ＯＳＵにおけるＰＯＮ制御部３６は、リンク断検出禁止指示が示すリンク断検出禁止期間ＴＨの終了時刻ｔｈｅを、この再起動処理が完了する予定時刻ｔｒｆより後の時刻に設定する。
【０１２９】
図９は、方法（Ｂ）を採用した場合の、本発明の実施の形態に係るＰＯＮシステムにおける局側装置および宅側装置間のデータの流れ、ならびに局側装置におけるイベント処理のシーケンスを示す図である。諸条件は図８と同様である。また、ステップＳ８１〜Ｓ８５の動作は、図８に示すシーケンスにおけるステップＳ３１〜Ｓ３５と同様である。
【０１３０】
図９を参照して、ＰＯＮ制御部３６は、異常検出を停止すべき停止期間すなわちリンク断検出禁止期間ＴＨの終了前にイベントが終了した場合には、異常検出を再開させる指示を示す再開制御情報すなわちリンク断検出再開指示を各ＯＮＵへ送信する。
【０１３１】
より詳細には、ＰＯＮ制御部３６は、予定されていたイベント期間ＴＥよりも短時間でイベントが終了すると（ステップＳ８６）、再起動処理を実行し（ステップＳ８７）、たとえば拡張ＯＡＭに従うリンク断検出再開指示を示す制御フレームを生成し、送信処理部３４およびＰＯＮ送受信部３５を介してＯＮＵ１〜３へ送信する（ステップＳ８８）。
【０１３２】
次に、ＯＮＵ１〜３における制御部２９は、ＰＯＮポート２１、光受信処理部２２およびバッファメモリ２３を介してＯＳＵからリンク断検出再開指示を受信する。そして、制御部２９は、受信したリンク断検出再開指示に対するＡＣＫを示す制御フレームを生成し、バッファメモリ２７、光送信処理部２８およびＰＯＮポート２１を介してＯＳＵへ送信する（ステップＳ８９）。
【０１３３】
次に、ＯＮＵ１〜３における制御部２９は、リンク断検出を再開する（ステップＳ９０）。
【０１３４】
ところで、下り光信号の時間的なずれによって下り光信号が途絶えると、リンク断を検出した各ＯＮＵのすべてが局側装置とのリンクを再確立するまでに長時間を要してしまう。また、局側装置は、ＯＮＵがリンク断を検出すると、当該ＯＮＵへ送信する予定であった蓄積データをクリアする場合もあり、データの再送処理による遅延も生じてしまう。
【０１３５】
これに対して、本発明の実施の形態に係る局側装置では、ＰＯＮ制御部３６は、局側装置２０１からＯＮＵへの通信信号の送信に影響する予定されたイベントを検知し、当該イベントのための処理を実行する。そして、ＰＯＮ制御部３６は、通信信号の異常検出を停止させる指示を示す停止制御情報を、ＰＯＮ制御部３６によって検知されたイベントが発生する前に各ＯＮＵへ送信する。
【０１３６】
前述のようなソフトウェアのアップデートおよび冗長切り替え等のイベントの期間においては、局側装置２０１から下りフレームが送信されないので、下り通信自体は断になる。しかしながら、当該イベント期間中にＯＮＵをスリープさせておく構成により、ＯＮＵの復帰が早くなるというメリットがある。
【０１３７】
すなわち、イベント期間中にＯＮＵがリンク断を検出することを防ぐことができるため、ＯＮＵは、ディスカバリ処理等のリンク解放処理を行なわなくなり、通常状態への復帰が早くなる。このため、ＰＯＮシステムにおける通信不能時間を短縮することができ、サービス品質を向上させることができる。
【０１３８】
したがって、本発明の実施の形態に係る局側装置では、冗長切り替え等、通信信号の送信に影響するイベントの発生に対して、局側装置および宅側装置間の通信停止時間を短縮し、信頼性の高い通信システムを提供することができる。
【０１３９】
また、本発明の実施の形態に係る局側装置では、ＰＯＮ制御部３６は、イベント終了後、各ＯＮＵのうち、応答情報が到着しなかったＯＮＵとの通信を再開する処理を実行する。
【０１４０】
このような構成により、局側装置２０１から停止制御情報を送信しても何らかの理由で異常検出を停止しなかったＯＮＵが存在する場合に、当該ＯＮＵとの通信を適切に再開することが可能となる。
【０１４１】
また、本発明の実施の形態に係る局側装置では、局側装置２０１からＯＮＵへの通信信号の送信に影響するイベントは、運用系ＯＳＵから待機系ＯＳＵへの切り替えを含む。
【０１４２】
このような構成により、ＯＮＵが通信信号の異常検出を停止している間に、イベントが必要となったＯＳＵから正常なＯＳＵへの冗長切り替えまたは交換を行なうことができる。
【０１４３】
また、本発明の実施の形態に係る局側装置では、停止制御情報は、ＯＮＵを異常検出の停止を伴う省電力モードへ遷移させる指示を示す。
【０１４４】
このような構成により、汎用的な省電力プロトコルを利用して、イベント期間中にＯＮＵがリンク断を検出することを防ぐことができる。また、イベント期間中におけるＯＮＵの不要な電力消費を抑制することができる。
【０１４５】
また、本発明の実施の形態に係る局側装置では、停止制御情報は、所定の保守管理プロトコルに従う制御情報であって、異常検出を停止するモードへ遷移させる指示を示す。
【０１４６】
このような構成により、局側装置２０１は、ＯＮＵを、異常検出の停止状態へ、または異常検出の停止を伴う省電力モードへ確実に遷移させることが可能となる。
【０１４７】
また、本発明の実施の形態に係る局側装置では、停止制御情報は、異常検出を停止すべき停止期間を含む。
【０１４８】
このような構成により、異常検出の停止指示をＯＮＵに通知した後、局側装置２０１からあらためて異常検出の再開指示をＯＮＵに通知することなく、ＯＮＵにおいて確実に異常検出を再開することができる。
【０１４９】
また、本発明の実施の形態に係る局側装置では、ＰＯＮ制御部３６は、さらに、異常検出の停止期間の終了前にイベントが終了した場合には、異常検出を再開させる指示を示す再開制御情報を各ＯＮＵへ送信する。
【０１５０】
このような構成により、イベントが予定よりも早期に終了した場合に、ＰＯＮシステムにおける通信を早期に再開させることができるため、ＰＯＮシステムにおける通信不能時間をさらに短縮することができ、サービス品質を向上させることができる。
【０１５１】
なお、本発明の実施の形態に係るＰＯＮシステムでは、ＰＯＮ制御部３６は、対応のＰＯＮ回線に接続されたすべてのＯＮＵに対してスリープ指示を送信する構成であるとしたが、これに限定するものではない。ＰＯＮ制御部３６は、配下のＯＮＵのうち、特定のサービス契約を結んでいるユーザのＯＮＵ等、一部のＯＮＵだけにスリープ指示を送信する構成であってもよい。
【０１５２】
このような構成により、局側装置２０１において一部のＯＮＵへ送信すべきデータのみをイベント終了後のために蓄積すればよくなるため、ＯＮＵへ送信すべきデータを蓄積するためのバッファ容量を低減することが可能となる。
【０１５３】
また、本発明の実施の形態に係るＰＯＮシステムでは、局側装置２０１は、スリープ期間ＴＳをＯＮＵに通知する構成であるとしたが、これに限定するものではない。局側装置２０１がスリープ期間ＴＳをスリープ指示に含めず、イベント終了後にスリープ解除指示をＯＮＵへ送信し、ＯＮＵをスリープ状態から通常状態へ遷移させる構成であってもよい。
【０１５４】
また、本発明の実施の形態に係るＰＯＮシステムでは、局側装置２０１は、連続的な信号の送信に影響するイベントの発生に際し、ＯＮＵに対して当該信号の異常検出を停止させる制御を行なう構成であるとしたが、これに限定するものではない。局側装置２０１は、連続的な信号に限らず、たとえば、局側装置からＯＮＵへ所定間隔でバースト信号が送信されるＰＯＮシステムにおいて、ＯＮＵに対して当該バースト信号の異常検出を停止させる制御を行なう構成であってもよい。
【０１５５】
また、本発明の実施の形態に係るＰＯＮシステムでは、局側装置２０１におけるＰＯＮ制御部３６において、局側装置２０１からＯＮＵへの通信信号の送信に影響する予定されたイベントが検知され、通信信号の異常検出を停止させる指示を示す停止制御情報が、ＰＯＮ制御部３６によって検知されたイベントが発生する前に各ＯＮＵへ送信される構成であるとしたが、これに限定するものではない。局側装置２０１に限らず、ＰＯＮシステム３０１におけるＯＮＵ２０２または他の図示しない装置において、上記のようなＰＯＮ制御部３６による動作が実行される構成であってもよい。
【０１５６】
また、本発明の実施の形態に係る局側装置では、ＰＯＮ制御部３６は、局側装置２０１からＯＮＵへの通信信号の送信に影響する予定されたイベントを検知する構成であるとしたが、これに限定するものではない。予定されたイベントに限らず、ＰＯＮ制御部３６が、局側装置２０１からＯＮＵへの通信信号の送信に影響する予期しないイベントを検知し、ＰＯＮ制御部３６が、通信信号の異常検出を停止させる指示を示す停止制御情報を、当該イベントが発生する前に各ＯＮＵへ送信する構成であってもよい。
【０１５７】
また、本発明の実施の形態に係る局側装置では、ＯＮＵをスリープ状態に遷移させる方法として、方法（Ａ）および方法（Ｂ）を例示したが、拡張ＭＡＣ（Media Access Control）制御プロトコルを用いる方法（Ｃ）も考えられる。方法（Ｃ）では、停止制御情報は、たとえば拡張ＭＡＣに従う制御情報であって、異常検出を停止するモードへ遷移させる指示を示すリンク断検出禁止指示である。
【０１５８】
また、本発明の実施の形態に係る局側装置では、ＰＯＮ制御部３６は、対応のＰＯＮ回線に接続された各ＯＮＵに対してスリープ指示またはリンク断検出禁止指示を送信する。ここで、スリープ指示またはリンク断検出禁止指示の送信形態としては、スリープ指示またはリンク断検出禁止指示を示す制御フレームを各ＯＮＵに対して個別に送信するユニキャスト方式であってもよいし、１つの制御フレームを複数ＯＮＵへまとめて送信するマルチキャスト方式であってもよい。
【０１５９】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１６０】
１１  全体制御部
１２，１２−１〜１２−Ｎ＋１  光回線ユニット（ＯＳＵ）
１３  集線部
２１  ＰＯＮポート
２２  光受信処理部
２３  バッファメモリ
２４  送信処理部
２５  ＵＮＩポート
２６  受信処理部
２７  バッファメモリ
２８  光送信処理部
３１  集線ＩＦ部
３２  制御ＩＦ部
３３  受信処理部
３４  送信処理部
３５  ＰＯＮ送受信部
３６  ＰＯＮ制御部（イベント制御部、異常検出制御部、リンク制御部）
３７，３８  ＦＩＦＯ
２０１  局側装置（ＯＬＴ）
２０２  宅側装置（ＯＮＵ）
２０３−１〜２０３−Ｎ  ＰＯＮ回線
２０４−１〜２０４−Ｎ  光カプラ
３０１  ＰＯＮシステム
【図１】
2012142698.tif 000003
【図２】
2012142698.tif 000004
【図３】
2012142698.tif 000005
【図４】
2012142698.tif 000006
【図５】
2012142698.tif 000007
【図６】
2012142698.tif 000008
【図７】
2012142698.tif 000009
【図８】
2012142698.tif 000010
【図９】
2012142698.tif 000011